(57)【特許請求の範囲】
【請求項１】
４つの情報記録面を有した光記録媒体であって、
前記光記録媒体の表面と、前記光記録媒体の表面に最も近い第１の情報記録面との間の厚みをｔ１、
前記第１の情報記録面と、前記光記録媒体の表面に二番目に近い第２の情報記録面との間の厚みをｔ２、
前記第２の情報記録面と、前記光記録媒体の表面に三番目に近い第３の情報記録面との間の厚みをｔ３、及び、
前記第３の情報記録面と、前記光記録媒体の表面から最も遠い第４の情報記録面との間の厚みをｔ４、と定義したときに、
ｔ３−ｔ４≧１μｍ、
ｔ４−ｔ２≧１μｍ、
ｔ２≧１０μｍ、及び、
ｔ１−（ｔ２＋ｔ３＋ｔ４）≧１μｍ、を満たし、
前記厚みｔ１の標準値は５３．５μｍであり、
前記厚みｔ２の標準値は１１．５μｍであり、
前記厚みｔ３の標準値は１９．５μｍであり、
前記厚みｔ４の標準値は１５．５μｍであり、
前記厚みｔ１、前記厚みｔ２、前記厚みｔ３及び前記厚みｔ４の前記標準値に対する公差は、それぞれ±１．５μｍであることを特徴とする光記録媒体。
【請求項２】
４つの情報記録面を有した光記録媒体の製造方法であって、
基板上に、光透過層、第１の情報記録面、第１の中間層、第２の情報記録面、第２の中間層、第３の情報記録面、第３の中間層及び第４の情報記録面を形成する工程を有し、
前記光透過層の厚みをｔ１、
前記第１の中間層の厚みをｔ２、
前記第２の中間層の厚みをｔ３、
前記第３の中間層の厚みをｔ４、と定義したときに、
製造された光記録媒体は、
ｔ３−ｔ４≧１μｍ、
ｔ４−ｔ２≧１μｍ、
ｔ２≧１０μｍ、及び、
ｔ１−（ｔ２＋ｔ３＋ｔ４）≧１μｍを満たし、
前記厚みｔ１の標準値は５３．５μｍであり、
前記厚みｔ２の標準値は１１．５μｍであり、
前記厚みｔ３の標準値は１９．５μｍであり、
前記厚みｔ４の標準値は１５．５μｍであり、
前記厚みｔ１、前記厚みｔ２、前記厚みｔ３及び前記厚みｔ４の前記標準値に対する公差がそれぞれ±１．５μｍになるように、前記第１乃至第４の情報記録面、前記第１乃至第３の中間層、及び前記光透過層を形成することを特徴とする光記録媒体の製造方法。
【請求項３】
３つの情報記録面を有した光記録媒体であって、
前記光記録媒体の表面と、前記光記録媒体の表面に最も近い第１の情報記録面との間の厚みをｔ１、
前記第１の情報記録面と、前記光記録媒体の表面に二番目に近い第２の情報記録面との間の厚みをｔ２、及び、
前記第２の情報記録面と、前記光記録媒体の表面から最も遠い第３の情報記録面との間の厚みをｔ３、と定義したときに、
ｔ３−ｔ２≧１μｍ、
ｔ２≧１０μｍ、及び、
ｔ１−（ｔ２＋ｔ３）≧１μｍを満たし、
前記厚みｔ１の標準値は５７．０μｍであり、
前記厚みｔ２の標準値は１８．０μｍであり、
前記厚みｔ３の標準値は２５．０μｍであり、
前記厚みｔ１、前記厚みｔ２及び前記厚みｔ３の前記標準値に対する公差は、それぞれ±２．０μｍであることを特徴とする光記録媒体。
【請求項４】
３つの情報記録面を有した光記録媒体の製造方法であって、
基板上に、光透過層、第１の情報記録面、第１の中間層、第２の情報記録面、第２の中間層及び第３の情報記録面を形成する工程を有し、
前記光透過層の厚みをｔ１、
前記第１の中間層の厚みをｔ２、
前記第２の中間層の厚みをｔ３、と定義したときに、
製造された光記録媒体は、
ｔ３−ｔ２≧１μｍ、
ｔ２≧１０μｍ、及び、
ｔ１−（ｔ２＋ｔ３）≧１μｍを満たし、
前記厚みｔ１の標準値は５７．０μｍであり、
前記厚みｔ２の標準値は１８．０μｍであり、
前記厚みｔ３の標準値は２５．０μｍであり、
前記厚みｔ１、前記厚みｔ２及び前記厚みｔ３の前記標準値に対する公差がそれぞれ±２．０μｍになるように、前記第１乃至第３の情報記録面、前記第１及び第２の中間層、及び前記光透過層を形成する光記録媒体の製造方法。
【発明の詳細な説明】
【技術分野】
【０００１】
本発明は、照射された光によって情報が記録又は再生される光記録媒体、及び当該光記録媒体の製造方法に関し、特に３つ又は４つの情報記録面を備える光記録媒体の層間隔の構造に関するものである。
【背景技術】
【０００２】
高密度及び大容量の光情報記録媒体として市販されているものでＤＶＤやＢＤ（Ｂｌｕ−ｒａｙディスク）と呼ばれる光ディスクがある。このような光ディスクは画像、音楽及びコンピュータデータを記録する記録媒体として、最近急速に普及しつつある。また、記録容量をさらに増やすために、特許文献１に示すような複数の記録層を有する光ディスクも提案されている。
【０００３】
図１３は、従来の光記録媒体及び光ピックアップの構成を示す図である。光記録媒体４０１は、光記録媒体４０１の表面４０１ｚに最も近い第１情報記録面４０１ａと、光記録媒体４０１の表面４０１ｚに二番目に近い第２情報記録面４０１ｂと、光記録媒体４０１の表面４０１ｚに三番目に近い第３情報記録面４０１ｃと、光記録媒体４０１の表面４０１ｚから最も遠い第４情報記録面４０１ｄとを含む。
【０００４】
光源１から出射された発散性のビーム７０は、焦点距離ｆ１が１５ｍｍのコリメートレンズ５３を透過し、偏光ビームスプリッタ５２に入射する。偏光ビームスプリッタ５２に入射したビーム７０は、偏光ビームスプリッタ５２を透過し、４分の１波長板５４を透過して円偏光に変換される。その後、ビーム７０は、焦点距離ｆ２が２ｍｍの対物レンズ５６で収束ビームに変換され、光記録媒体４０１の透明基板を透過し、光記録媒体４０１内部に形成された第１情報記録面４０１ａ、第２情報記録面４０１ｂ、第３情報記録面４０１ｃ及び第４情報記録面４０１ｄのいずれかの上に集光される。
【０００５】
対物レンズ５６は、第１情報記録面４０１ａと第４情報記録面４０１ｄとの中間の深さ位置で球面収差が０になる様に設計されている。球面収差補正部９３は、コリメートレンズ５３の位置を光軸方向に移動させる。これにより、第１〜第４情報記録面４０１ａ〜４０１ｄに集光する場合に発生する球面収差は除去される。
【０００６】
アパーチャ５５は、対物レンズ５６の開口を制限し、対物レンズ５６の開口数ＮＡを０．８５としている。第４情報記録面４０１ｄで反射されたビーム７０は、対物レンズ５６及び４分の１波長板５４を透過して往路とは９０度異なる直線偏光に変換された後、偏光ビームスプリッタ５２で反射される。偏光ビームスプリッタ５２で反射されたビーム７０は、焦点距離ｆ３が３０ｍｍの集光レンズ５９を透過して収束光に変換され、シリンドリカルレンズ５７を経て、光検出器３２０に入射する。ビーム７０には、シリンドリカルレンズ５７を透過する際、非点収差が付与される。
【０００７】
光検出器３２０は、図示しない４つの受光部を有し、それぞれの受光部は、受光した光量に応じた電流信号を出力する。これら電流信号に基づいて、非点収差法によるフォーカス誤差（以下ＦＥとする）信号、プッシュプル法によるトラッキング誤差（以下ＴＥとする）信号、及び光記録媒体４０１に記録された情報（以下ＲＦとする）信号が生成される。ＦＥ信号及びＴＥ信号は、所望のレベルに増幅されるとともに、位相補償が行われた後、アクチュエータ９１及び９２に供給されて、フォーカス制御及びトラッキング制御が行われる。
【０００８】
ここで、仮に、光記録媒体４０１の表面４０１ｚと第１情報記録面４０１ａとの間の厚みｔ１、第１情報記録面４０１ａと第２情報記録面４０１ｂとの間の厚みｔ２、第２情報記録面４０１ｂと第３情報記録面４０１ｃとの間の厚みｔ３、及び第３情報記録面４０１ｃと第４情報記録面４０１ｄとの間の厚みｔ４が全て同じ長さである場合には以下の様な問題が発生する。
【０００９】
例えば、第４情報記録面４０１ｄに情報を記録又は再生するために、第４情報記録面４０１ｄにビーム７０を集光したとき、ビーム７０の一部は、第３情報記録面４０１ｃで反射する。第３情報記録面４０１ｃから第４情報記録面４０１ｄまでの距離と、第３情報記録面４０１ｃから第２情報記録面４０１ｂまでの距離とは同じである。そのため、第３情報記録面４０１ｃで反射したビーム７０の一部は、第２情報記録面４０１ｂの裏側に結像し、第２情報記録面４０１ｂの裏側からの反射光は、再び第３情報記録面４０１ｃで反射する。その結果、第３情報記録面４０１ｃ、第２情報記録面４０１ｂの裏側及び第３情報記録面４０１ｃで反射した反射光が、本来読み出すべき第４情報記録面４０１ｄからの反射光に混入してしまう。
【００１０】
さらに、第２情報記録面４０１ｂから第４情報記録面４０１ｄまでの距離と、第２情報記録面４０１ｂから光記録媒体４０１の表面４０１ｚまでの距離とも同じである。そのため、第２情報記録面４０１ｂで反射したビーム７０の一部は、光記録媒体４０１の表面４０１ｚの裏側に結像し、表面４０１ｚの裏側からの反射光は、再び第２情報記録面４０１ｂで反射する。その結果、第２情報記録面４０１ｂ、表面４０１ｚの裏側及び第２情報記録面４０１ｂで反射した反射光が、本来読み出すべき第４情報記録面４０１ｄからの反射光に混入してしまう。
【００１１】
この様に、本来読み出すべき第４情報記録面４０１ｄからの反射光に、他層の裏側に結像した反射光が重なって混入し、情報の記録又は再生に支障をきたすという問題がある。このような光は干渉性が高く、受光素子上で干渉による明暗分布を形成する。さらに、この明暗分布は、光ディスク面内の中間層の微少な厚みばらつきによる他層反射光の位相差変化に応じて変動するため、サーボ信号及び再生信号の品質を著しく低下させてしまう。以後、本明細書では、上記の問題を裏焦点課題と呼ぶ。
【００１２】
これを防ぐために、特許文献１には、各情報記録面の間の層間距離を光記録媒体４０１の表面４０１ｚから順番に徐々に長くなる様に設定し、本来読み出すべき第４情報記録面４０１ｄにビーム７０を集光させたときに、同時に、ビーム７０の一部が第２情報記録面４０１ｂの裏側及び表面４０１ｚの裏側に結像しないようにする方法が開示されている。ここで、厚みｔ１〜ｔ４はそれぞれ±１０μｍの製造ばらつきを有している。厚みｔ１〜ｔ４は、各々がばらついた場合にも異なる距離になる様に設定する必要がある。そのため、厚みｔ１〜ｔ４の距離の差は例えば２０μｍに設定される。この場合、厚みｔ１〜ｔ４は、それぞれ４０μｍ、６０μｍ、８０μｍ及び１００μｍとなり、第１情報記録面４０１ａから第４情報記録面４０１ｄまでの総層間厚みｔ（＝ｔ２＋ｔ３＋ｔ４）は２４０μｍである。
【００１３】
また、表面４０１ｚから第１情報記録面４０１ａまでのカバー層の厚みと、第４情報記録面４０１ｄから第１情報記録面４０１ａまでの厚みとが等しい場合、第４情報記録面４０１ｄで反射した光は表面４０１ｚで焦点を結び、表面４０１ｚで反射する。表面４０１ｚを反射した光は、再び第４情報記録面４０１ｄで反射した後に光検出器３２０へ導かれる。このような表面４０１ｚの裏側で結像する光束は、他の情報記録面の裏側で結像する光束のようなピット又はマークに関する情報を有していない。しかしながら、記録層が多層化された場合、表面４０１ｚの裏側で反射した光束の光量は、他の情報記録面の裏側で反射した光束の光量と同程度の大きさがある。そのため、表面４０１ｚの裏側で反射した光束と、記録又は再生の対象となる情報記録面を反射した光束との干渉は、他の情報記録面の裏側で反射した光束と同じように発生し、サーボ信号及び再生信号の品質を著しく低下させる虞がある。
【００１４】
このような課題を考慮し、特許文献２では、光ディスクの情報記録層（情報記録面）の間隔を提案している。この特許文献２では、下記の構造を開示している。
【００１５】
光記録媒体は、４つの情報記録面を有し、光記録媒体の表面に近い側から第１情報記録面〜第４情報記録面としている。表面から第１情報記録面までの距離は４７μｍ以下である。第１情報記録面から第４情報記録面までの各情報記録面間の中間層の厚みは、１１〜１５μｍと、１６〜２１μｍと、２２μｍ以上との組み合わせからなる。表面から第４情報記録面までの距離は１００μｍである。表面から第１情報記録面までの距離が４７μｍ以下であり、さらに表面から第４情報記録面までの距離が１００μｍである。
【先行技術文献】
【特許文献】
【００１６】
【特許文献１】特開２００１−１５５３８０号公報
【特許文献２】特開２００８−１１７５１３号公報
【発明の概要】
【発明が解決しようとする課題】
【００１７】
しかしながら、特許文献２において最適として示されるディスク構造は、表面から第１情報記録面までの距離（＝ｔ１）が４７μｍ以下である。厚みｔ１は可能な限り厚く設定することによって、光ディスクの表面に傷や汚れがある場合の情報再生信号劣化量を低く抑えることが望ましい。４層ディスクにおいて、表面から第４情報記録面までの距離を標準的には１００μｍとした上で、厚みｔ１を可能な限り厚く設定できる構造が望まれる。また、３つの情報記録面を有する３層ディスクについても最適な構造の提案が望まれている。
【００１８】
本発明は、上記の問題を解決するためになされたもので、サーボ信号及び再生信号の品質を向上させることができる光記録媒体及び光記録媒体の製造方法を提供することを目的とするものである。
【課題を解決するための手段】
【００１９】
本発明の一局面に係る光記録媒体は、４つの情報記録面を有した光記録媒体であって、前記光記録媒体の表面と、前記光記録媒体の表面に最も近い第１の情報記録面との間の厚みをｔ１、前記第１の情報記録面と、前記光記録媒体の表面に二番目に近い第２の情報記録面との間の厚みをｔ２、前記第２の情報記録面と、前記光記録媒体の表面に三番目に近い第３の情報記録面との間の厚みをｔ３、及び、前記第３の情報記録面と、前記光記録媒体の表面から最も遠い第４の情報記録面との間の厚みをｔ４、と定義したときに、ｔ３−ｔ４≧１μｍ、ｔ４−ｔ２≧１μｍ、ｔ２≧１０μｍ、及び、ｔ１−（ｔ２＋ｔ３＋ｔ４）≧１μｍ、を満たす。
【発明の効果】
【００２０】
本発明によれば、４つの情報記録面を有した光記録媒体は、ｔ３−ｔ４≧１μｍ、ｔ４−ｔ２≧１μｍ、ｔ２≧１０μｍ、及び、ｔ１−（ｔ２＋ｔ３＋ｔ４）≧１μｍ、を満たすので、光記録媒体の表面の裏側で結像するのを防止し、かつ各情報記録面での反射光同士の干渉を減らすことにより、サーボ信号及び再生信号の品質を向上させることができる。また、光記録媒体の表面と、光記録媒体の表面に最も近い情報記録面との間隔を大きく設定することが可能となるので、光記録媒体の表面に傷や汚れがある場合の再生信号の劣化を抑えることができる。
【図面の簡単な説明】
【００２１】
【図１】本発明の実施の形態１に係る光記録媒体及び光ピックアップの概略構成を示す図である。
【図２】本発明の実施の形態１に係る光記録媒体の層構成を示す図である。
【図３】第４情報記録面にビームを集光した場合の第４情報記録面からの反射光を示す図である。
【図４】第４情報記録面にビームを集光した場合の第３情報記録面及び第２情報記録面からの反射光を示す図である。
【図５】第４情報記録面にビームを集光した場合の第２情報記録面及び表面からの反射光を示す図である。
【図６】第４情報記録面にビームを集光した場合の第３情報記録面、第１情報記録面及び第２情報記録面からの反射光を示す図である。
【図７】層間厚みの差とＦＳ信号振幅との関係を示す図である。
【図８】各情報記録層の反射率がほぼ等しい光記録媒体における層間厚みとジッターとの関係を示す図である。
【図９】本発明の実施の形態２に係る光記録媒体の層構成を示す図である。
【図１０】第３情報記録面にビームを集光した場合の第３情報記録面からの反射光を示す図である。
【図１１】第３情報記録面にビームを集光した場合の第２情報記録面及び第１情報記録面からの反射光を示す図である。
【図１２】第３情報記録面にビームを集光した場合の第１情報記録面及び表面からの反射光を示す図である。
【図１３】従来の光記録媒体及び光ピックアップの構成を示す図である。
【発明を実施するための形態】
【００２２】
以下、本発明の実施の形態について添付の図面を参照しながら説明する。尚、以下の実施の形態は、本発明を具体化した一例であって、本発明の技術的範囲を限定する性格のものではない。
【００２３】
（実施の形態１）
以下、図１及び図２を用いて、本発明の実施の形態１に係る光記録媒体について説明する。
【００２４】
図１は、本発明の実施の形態１に係る光記録媒体及び光ピックアップの概略構成を示す図であり、図２は、本発明の実施の形態１に係る光記録媒体の層構成を示す図である。光ピックアップ２０１は、波長λが４０５ｎｍのレーザ光を光記録媒体４０に照射し、光記録媒体４０に記録された信号を再生する。なお、図１に示す光ピックアップ２０１の構成は、図１３に示す光ピックアップの構成とほぼ同じであるので、詳細な説明は省略する。
【００２５】
光記録媒体４０には４つの情報記録面が形成されている。図２に示すように、光記録媒体４０は、光記録媒体４０の表面４０ｚに近い側から順に、第１情報記録面４０ａ、第２情報記録面４０ｂ、第３情報記録面４０ｃ及び第４情報記録面４０ｄを有する。
【００２６】
光記録媒体４０は、さらに、カバー層４２、第１中間層４３、第２中間層４４及び第３中間層４５を有している。カバー層４２の厚みｔ１は、表面４０ｚから第１情報記録面４０ａまでの間の基材の厚みを表し、第１中間層４３の厚みｔ２は、第１情報記録面４０ａから第２情報記録面４０ｂまでの間の基材の厚みを表し、第２中間層４４の厚みｔ３は、すなわち、第２情報記録面４０ｂから第３情報記録面４０ｃまでの間の基材の厚みを表し、第３中間層４５の厚みｔ４は、第３情報記録面４０ｃから第４情報記録面４０ｄまでの間の基材の厚みを表している。
【００２７】
また、距離ｄ１（≒ｔ１）は、表面４０ｚから第１情報記録面４０ａまでの間の距離を表し、距離ｄ２（≒ｔ１＋ｔ２）は、表面４０ｚから第２情報記録面４０ｂまでの間の距離を表し、距離ｄ３（≒ｔ１＋ｔ２＋ｔ３）は、表面４０ｚから第３情報記録面４０ｃまでの間の距離を表し、距離ｄ４（≒ｔ１＋ｔ２＋ｔ３＋ｔ４）は、表面４０ｚから第４情報記録面４０ｄまでの間の距離を表している。
【００２８】
ここで、情報記録面が４面である場合の課題について説明する。まず、一つ目の課題として、多面反射光による干渉について図３〜図７を用いて説明する。図３は、第４情報記録面４０ｄにビームを集光した場合の第４情報記録面４０ｄからの反射光を示す図であり、図４は、第４情報記録面４０ｄにビームを集光した場合の第３情報記録面４０ｃ及び第２情報記録面４０ｂからの反射光を示す図であり、図５は、第４情報記録面４０ｄにビームを集光した場合の第２情報記録面４０ｂ及び表面４０ｚからの反射光を示す図であり、図６は、第４情報記録面４０ｄにビームを集光した場合の第３情報記録面４０ｃ、第１情報記録面４０ａ及び第２情報記録面４０ｂからの反射光を示す図である。
【００２９】
図３のように、情報を再生又は記録するために第４情報記録面４０ｄに集光された光束は、情報記録層（情報記録面）の半透過性により、以下の複数の光ビームに分岐される。
【００３０】
すなわち、情報を再生又は記録するために第４情報記録面４０ｄに集光する光束は、図３のように第４情報記録面４０ｄで反射するビーム７０と、図４のように第３情報記録面４０ｃで反射し、第２情報記録面４０ｂの裏側で焦点を結んで反射し、再び第３情報記録面４０ｃで反射するビーム７１（情報記録層の裏焦点光）と、図５のように第２情報記録面４０ｂで反射し、表面４０ｚの裏側で焦点を結んで反射し、再び第２情報記録面４０ｂで反射するビーム７２（表面の裏焦点光）と、図６のように表面及び情報記録面の裏側で焦点は結ばないが、第３情報記録面４０ｃ、第１情報記録面４０ａの裏側及び第２情報記録面４０ｂの順で反射したビーム７３とに分岐される。
【００３１】
例えば、第４情報記録面４０ｄと第３情報記録面４０ｃとの間の距離（厚みｔ４）と、第３情報記録面４０ｃと第２情報記録面４０ｂとの間の距離（厚みｔ３）とが等しい場合、ビーム７０とビーム７１とは等しい光路長と光束径とで光検出器３２０に入射する。同様に、第４情報記録面４０ｄと第２情報記録面４０ｂとの間の距離（厚みｔ４＋厚みｔ３）と、第２情報記録面４０ｂと表面４０ｚとの間の距離（厚みｔ２＋厚みｔ１）とが等しい場合、ビーム７０とビーム７２とは等しい光路長と光束径とで光検出器３２０に入射する。また、第２情報記録面４０ｂと第１情報記録面４０ａとの間の距離（厚みｔ２）と、第４情報記録面４０ｄと第３情報記録面４０ｃとの間の距離（厚みｔ４）とが等しい場合、ビーム７０とビーム７３とは等しい光路長と光束径とで光検出器３２０に入射する。
【００３２】
ビーム７０に対して多面反射光であるビーム７１〜７３の光量は小さいが、各ビームは、等しい光路長と等しい光束径とで光検出器３２０に入射するため、各ビームの干渉による影響は大きくなる。また、光検出器３２０での受光量は、微少な情報記録層間の厚みの変化によって大きく変動し、安定な信号を検出することが困難となる。
【００３３】
図７は、層間厚みの差とＦＳ信号振幅との関係を示す図である。なお、図７では、ビーム７０と、ビーム７１、ビーム７２又はビーム７３との光量比を１００：１とし、かつカバー層４２及び第１中間層４３の屈折率がいずれも１．５７である場合の層間厚みの差に対するＦＳ信号振幅を示している。図７において、横軸は層間厚みの差を示し、縦軸はＦＳ信号振幅を示している。ＦＳ信号振幅は、ビーム７０のみの反射光を光検出器３２０で受光したときのＤＣ光量で規格化した値である。また、層間厚みの差とは、中間層同士の厚みの差、及びカバー層と中間層と厚みの差を表す。図７のように、層間厚みの差が１μｍ以下になるとＦＳ信号が急激に変動することがわかる。
【００３４】
なお、図５のビーム７２と同様に、カバー層４２の厚みｔ１と、第１中間層４３〜第３中間層４５の厚みの総和（ｔ２＋ｔ３＋ｔ４）との差が１μｍ以下になってもＦＳ信号の変動などの問題が生じる。
【００３５】
二つ目の課題として、隣接する情報記録面間の層間距離が小さすぎると、隣接する情報記録面からのクロストークの影響を受けるため、所定値以上の層間距離が必要となる。そこで、層間厚みについて検討し、最小となる層間厚みを決定する。図８は、各情報記録層の反射率がほぼ等しい光ディスクにおける層間厚みとジッターとの関係を示す図である。図８において、横軸は層間厚みを示し、縦軸はジッター値を示している。層間厚みが薄くなるに従ってジッターは劣化する。変曲点は約８μｍとなっており、層間厚みが８μｍ以下の場合、急激なジッターの劣化が起こる。
【００３６】
また、一般的に光ディスクの製造上、各情報記録層の反射率は、１．５倍程度異なる場合がある。例えば、再生又は記録の対象となる情報記録層の反射率に対し、他の情報記録層の反射率が１．５倍である場合、干渉による情報記録層への影響は光の振幅比で√１．５倍となるため、層間厚みに対するジッターは図８の破線のようになる。すなわち、層間厚みの最小値を、８μｍから２μｍ増やした１０μｍ以上に設定すれば、他の情報記録層の迷光の光検出器での光量密度は反射率１．５×（８／１０）２＝０．９６となり、他の情報記録層の反射効率の増加分を相殺することができる。結論として、層間厚みの最小値は１０μｍが最適である。
【００３７】
図２を用いて、本発明の実施の形態１に係る光記録媒体４０の構成について説明する。本実施の形態１では、製造上の厚みバラツキを考慮した上で、他の情報記録層又はディスク表面からの反射光の悪影響を解決するために、以下の条件が確保できるように４層ディスク（光記録媒体４０）の構造を設定する。
【００３８】
条件（１）：カバー層４２の厚みｔ１は、従来の光ディスクのカバー層より厚くするため、５０μｍより大きくする（ｔ１＞５０μｍ）。
【００３９】
条件（２）：カバー層４２の厚みｔ１と、第１中間層４３〜第３中間層４５の厚みｔ２〜ｔ４の総和（ｔ２＋ｔ３＋ｔ４）との差は、１μｍ以上確保する。距離ｄ４の標準値は、市場のＢＤと同じ１００μｍにすることが望ましい。ｔ１＞５０μｍという条件（１）と組み合わせると、光記録媒体４０は、ｔ１−（ｔ２＋ｔ３＋ｔ４）≧１μｍを満たすことになる。
【００４０】
条件（３）：カバー層４２の厚みｔ１と第１中間層４３の厚みｔ２との和（ｔ１＋ｔ２）と、第２中間層４４の厚みｔ３と第３中間層４５の厚みｔ４との和（ｔ３＋ｔ４）との差は、１μｍ以上確保する。この条件（３）は、条件（１）及び（２）を満たせば自動的に満たされることが明らかである。
【００４１】
条件（４）：厚みｔ１，ｔ２，ｔ３，ｔ４のうちの任意の２値の互いの差は、いずれも１μｍ以上である。
【００４２】
条件（５）：層間厚み（中間層の厚み）の最小値は、先に述べたように、１０μｍ以上必要である。そのため、厚みｔ２，ｔ３，ｔ４は、いずれも１０μｍ以上である。
【００４３】
条件（６）：厚みｔ３は、厚みｔ４よりも大きく、厚みｔ４は、厚みｔ２よりも大きくする。第２情報記録面４０ｂは、第１情報記録面４０ａと第３情報記録面４０ｃとに挟まれている。第３情報記録面４０ｃは、第２情報記録面４０ｂと第４情報記録面４０ｄとに挟まれている。第２情報記録面４０ｂと第３情報記録面４０ｃとはいずれも、両側の隣接する２面からのクロストーク信号の影響を受けるため、クロストークを少なくする工夫が必要である。第２情報記録面４０ｂ及び第３情報記録面４０ｃの情報を再生する際の他の情報記録面からのクロストークは、いずれも、第２中間層４４（厚みｔ３）を厚くすることによって、減らすことが可能である。従って、厚みｔ３を最も厚くすることが望ましい。また、それぞれの情報記録面と、表面４０ｚとの距離は、薄い程チルトマージンが広くなる。この点、第１中間層４３の厚みｔ２は薄く、第３中間層４５の厚みｔ４は厚い方が好ましい。以上の考察から、厚みｔ２，ｔ３，ｔ４は、ｔ３＞ｔ４＞ｔ２を満たす。
【００４４】
条件（７）：表面４０ｚから、表面４０ｚから最も遠い第４情報記録面４０ｄまでの距離ｄ４は、概ね１００μｍとする。これにより、現在市販されている光ディスクの中で最も大容量であるＢＤ（Ｂｌｕ−ｒａｙ  Ｄｉｓｃ）と互換性を持たせると共に、チルトマージン等のシステムマージンも充分に確保できるという利点を得ることができる。
【００４５】
以下、上記の条件（１）〜（７）のもとで、カバー層厚み及び中間層厚みにおける製造上許される誤差又はばらつきを最も大きくできる構造について考える。
【００４６】
カバー層４２及び第１中間層４３〜第３中間層４５の製造バラツキを一律に±ｅμｍとする。この場合、上記条件（１）〜（７）を満たす各層間厚みｔ２〜ｔ４の中心値は、上限値及び下限値を考慮して、下記の（１）〜（３）式のようになる。
【００４７】
ｔ２＝１０＋ｅ（μｍ）・・・（１）
ｔ４＝（ｔ２＋ｅ）＋１＋ｅ＝１０＋３ｅ＋１（μｍ）・・・（２）
ｔ３＝（ｔ４＋ｅ）＋１＋ｅ＝１０＋５ｅ＋２（μｍ）・・・（３）
【００４８】
条件（２）を満たすためには、厚みｔ１の下限値は、厚みｔ２〜ｔ４の上限値の和よりも１μｍ厚くする必要があるので、下記の（４）式より、ｔ１＝３４＋１３ｅとなる。
【００４９】
ｔ１−ｅ＝（ｔ２＋ｔ３＋ｔ４＋３ｅ）＋１（μｍ）＝（１０＋ｅ）＋（１０＋５ｅ＋２）＋（１０＋３ｅ＋１）＋３ｅ＋１＝３４＋１２ｅ・・・（４）
【００５０】
厚みｔ１〜ｔ４の和は、条件（７）から、１００μｍである。そのため、ばらつきｅは、下記の（５）式より、ｅ＝３３／２２＝１．５（μｍ）となる。
【００５１】
ｔ１＋ｔ２＋ｔ３＋ｔ４＝（１０＋ｅ）＋（１０＋５ｅ＋２）＋（１０＋３ｅ＋１）＋（３４＋１３ｅ）＝６７＋２２ｅ＝１００（μｍ）・・・（５）
【００５２】
また、厚みｔ１〜ｔ４及び距離ｄ１〜ｄ４の標準値は、それぞれ以下のようになる。
【００５３】
ｔ１＝５３．５（μｍ）
ｔ２＝１１．５（μｍ）
ｔ３＝１９．５（μｍ）
ｔ４＝１５．５（μｍ）
ｄ１＝ｔ１＝５３．５（μｍ）
ｄ２＝ｄ１＋ｔ２＝６５．０（μｍ）
ｄ３＝ｄ２＋ｔ３＝８４．５（μｍ）
ｄ４＝１００（μｍ）
【００５４】
ここで、カバー層厚みｔ１及び各層間厚みｔ２〜ｔ４の製造時のばらつき上限を一律としたとき、このばらつき内に各厚みが入っていれば、必ず条件（１）〜（７）が満足される。いわば、ばらつきｅは十分条件である。たとえ、厚みｔ１の誤差がばらつきｅを超えていても、他の中間層の厚みが基準値に近く、条件（１）〜（７）を満たせば信号品質は確保できる。また、フォーカス引き込み動作の際に、良好なフォーカスエラー信号品質を得るためには、表面４０ｚから各情報記録層までの距離が一定の誤差内になければならない。
【００５５】
従って、４つの情報記録面を有した光記録媒体４０は、光記録媒体４０の表面４０ｚから、前記光記録媒体の表面に最も近い第１情報記録面４０ａまでの距離をｄ１、光記録媒体４０の表面４０ｚから、光記録媒体４０の表面４０ｚに二番目に近い第２情報記録面４０ｂまでの距離をｄ２、光記録媒体４０の表面４０ｚから、光記録媒体４０の表面４０ｚに三番目に近い第３情報記録面４０ｃまでの距離をｄ３、光記録媒体４０の表面４０ｚから、光記録媒体４０の表面４０ｚから最も遠い第４情報記録面４０ｄまでの距離をｄ４、光記録媒体４０の表面４０ｚと第１情報記録面４０ａとの間の厚みをｔ１（＝ｄ１）、第１情報記録面４０ａと第２情報記録面４０ｂとの間の厚みをｔ２（＝ｄ２−ｄ１）、第２情報記録面４０ｂと第３の情報記録面４０ｃとの間の厚みをｔ３（＝ｄ３−ｄ２）、第３情報記録面４０ｃと第４情報記録面４０ｄとの間の厚みをｔ４（＝ｄ４−ｄ３）、距離ｄ１、ｄ２、ｄ３、ｄ４の公差をそれぞれＥ１、Ｅ２、Ｅ３、Ｅ４と定義したときに、ｔ３−ｔ４≧１μｍ、ｔ４−ｔ２≧１μｍ、ｔ２≧１０μｍ、ｔ１−（ｔ２＋ｔ３＋ｔ４）≧１μｍ、５３．５μｍ−Ｅ１≦ｄ１≦５３．５μｍ＋Ｅ１、６５．０μｍ−Ｅ２≦ｄ２≦６５．０μｍ＋Ｅ２、８４．５μｍ−Ｅ３≦ｄ３≦８４．５μｍ＋Ｅ３、及び、１００．０μｍ−Ｅ４≦ｄ４≦１００．０μｍ＋Ｅ４を満たすことが望ましい。
【００５６】
この場合、光記録媒体４０の表面４０ｚの裏側で結像するのを防止し、かつ各情報記録面４０ａ〜４０ｄでの反射光同士の干渉を減らすことにより、サーボ信号及び再生信号の品質を向上させることができる。また、光記録媒体４０の表面４０ｚと、光記録媒体４０の表面４０ｚに最も近い第１情報記録面４０ａとの間隔を大きく設定することが可能となるので、光記録媒体４０の表面４０ｚに傷や汚れがある場合の再生信号の劣化を抑えることができる。
【００５７】
公差Ｅ１は、フォーカスエラー信号の劣化度合いを考慮すると６μｍであることが必要である。
【００５８】
さらに、公差Ｅ１が５μｍであれば、表面４０ｚに最も近い第１情報記録面４０ａへのより安定したフォーカス引き込みが可能である。
【００５９】
さらに、公差Ｅ１は、カバー層４２の厚みｔ１の誤差だけで決まり、他の中間層の厚みの影響を受けない。そのため、光記録媒体４０を高精度に作ることが可能であることを考慮すると、公差Ｅ１を３μｍとして、表面４０ｚに最も近い第１情報記録面４０ａへのより安定したフォーカス引き込みを可能とすることもできる。
【００６０】
また、公差Ｅ２も、フォーカスエラー信号の劣化度合いを考慮すると６μｍであることが必要である。
【００６１】
さらに、公差Ｅ２が５μｍであれば、表面４０ｚに二番目に近い第２情報記録面４０ｂへのより安定したフォーカス引き込みが可能である。
【００６２】
公差Ｅ１を最低限の３μｍとし、厚みｔ２の誤差を先に考察したばらつきｅ＝１．５μｍとすれば、公差Ｅ２は４．５μｍ程度まで低くすることは可能である。この場合、表面４０ｚに二番目に近い第２情報記録面４０ｂへのさらに安定したフォーカス引き込みが可能である。
【００６３】
公差Ｅ３及び公差Ｅ４も、フォーカスエラー信号の劣化度合いを考慮すると６μｍであることが必要である。さらに、公差Ｅ３及び公差Ｅ４が５μｍであれば、表面４０ｚに三番目に近い第３情報記録面４０ｃ、及び表面４０ｚから最も遠い第４情報記録面４０ｄへのより安定したフォーカス引き込みが可能である。
【００６４】
従って、最も望ましい光記録媒体４０の構成は、５０．５μｍ≦ｄ１≦５６．５μｍ、６０．５μｍ≦ｄ２≦６９．５μｍ、７８．５μｍ≦ｄ３≦９０．５μｍ、及び、９４．０μｍ≦ｄ４≦１０６．０μｍとなる。
【００６５】
さらに、ｔ３−ｔ４≧１μｍ、かつ、ｔ４−ｔ２≧１μｍであるので、厚みｔ２，ｔ４は、厚みｔ３より１μｍ以上薄いという制限がある。しかし、厚みｔ３の上限はこの条件には現れていない。厚みｔ３の上限はｔ３＝ｄ３−ｄ２から読み取ることができる。距離ｄ３は、８４．５μｍ−Ｅ３以上、８４．５μｍ＋Ｅ３以下であり、距離ｄ２は、６５．０μｍ−Ｅ２以上、６５．０μｍ＋Ｅ２以下であるので、厚みｔ３の最大値は、Ｅ３＋Ｅ２＋１９．５μｍである。
【００６６】
例えば、公差Ｅ３と公差Ｅ２とをいずれも６μｍとしたときは、厚みｔ３の最大値は３１．５μｍになる。しかし、第２情報記録面４０ｂから第３情報記録面４０ｃへのフォーカスジャンプ時には、あらかじめジャンプ先の第３情報記録面４０ｃに球面収差量を合わせておかなければ、フォーカスエラー信号の振幅及び感度が劣化して、安定にフォーカス制御を再開できない。そのため、厚みｔ３の公差は高々６μｍに抑えることが望ましい。従って、厚みｔ３は、ｔ３≦２５．５μｍとすることが望ましい。
【００６７】
さらに、厚みｔ３の公差を５μｍに抑えることにより、フォーカスジャンプをより安定して行うことができるので、厚みｔ３は、ｔ３≦２４．５μｍとすることがより望ましい。さらに、光記録媒体（光ディスク）の製造可能な範囲を考えても、厚みｔ３の公差は２．５μｍ程度に抑えることが可能であるので、厚みｔ３は、ｔ３≦２２．０μｍとすることがより望ましい。
【００６８】
第２中間層４４の厚みｔ３と同様に、第１中間層４３の厚みｔ２及び第３中間層４５の厚みｔ４の公差を５μｍに抑えることにより、フォーカスジャンプをより安定して行うことができる。そのため、厚みｔ２は、下限の１０．０μｍ以上、１６．５μｍ（１１．５μｍ＋５μｍ）以下であり、厚みｔ３は、１９．５μｍ±５μｍ、つまり、１４．５μｍ以上、２４．５μｍ以下であり、厚みｔ４は、１１μｍ（＝厚みｔ２の下限＋１μｍ）以上、２０．５μｍ（１５．５μｍ＋５μｍ）以下であることが望ましい。なお、ｔ１＝ｄ１であるので、厚みｔ１は、５０．５μｍ以上、５６．５μｍ以下であることが望ましい。
【００６９】
上記の条件は、良好な情報信号を安定に再生するために必要な条件である。カバー層及び各中間層の厚みｔ１〜ｔ４の様々な組み合わせのうち、上記条件を満たす組み合わせが、光記録媒体４０に許される構造ということになる。しかし、カバー層及び各中間層の厚みｔ１〜ｔ４の組み合わせによって条件への適否を判断するよりも、カバー層及び各中間層の厚みｔ１〜ｔ４の公差を狭い範囲に収めて製造することにより、組み合わせを考慮することなく条件に適した光ディスクを製造するほうが、製造上の目標値を簡単に設定しやすく、条件設定が容易になるというメリットがある。一方、上記のように性能上問題のない範囲を明確にすることにより、目標値から多少逸脱して製造された光記録媒体であっても、良品であることが判別でき、製品歩留まりを高くすることができるので、製品コストを低く抑えることができるという効果が得られる。
【００７０】
次に、別の視点として、製造上実現可能な中間層の厚みの公差と、その公差が、上記の裏焦点問題回避及び層間クロストーク問題回避の十分条件となる層構造とは、いかなるものかについて考えた。我々が製造上実現可能な中間層の厚み公差を実験的に検討したところ、中間層の厚み公差が＋１．５μｍであれば、大量生産可能であることが判明した。層間クロストーク問題回避の観点から、厚みｔ２の最小値は１０μｍである。１．５μｍの製造公差を確保するためには、厚みｔ２の標準値は１１．５μｍ以上でなければならない。最後に、裏焦点問題回避のため、ｔ１−（ｔ２＋ｔ３＋ｔ４）≧１を考慮しなければならないことを考慮して、中間層の厚みの標準値は必要最小限に設定する。従って、厚みｔ２の標準値は１１．５μｍとなる。さらに、１．５μｍの製造公差を標準値よりも厚い側に確保すると、厚みｔ２の上限は１３μｍとなる。
【００７１】
裏焦点問題回避の観点から、ｔ４−ｔ２≧１μｍでなければならないので、厚みｔ４の最小値は１４μｍとなる。１．５μｍの製造公差を確保するためには、厚みｔ４の標準値は１５．５μｍ以上でなければならないので、厚みｔ４の標準値は１５．５μｍとする。さらに１．５μｍの製造公差を標準値よりも厚い側に確保すると、厚みｔ４の上限は１７μｍとなる。
【００７２】
さらに、裏焦点問題回避の観点から、ｔ３−ｔ４≧１μｍでなければならないので、厚みｔ３の最小値は１８μｍとなる。１．５μｍの製造公差を確保するためには、厚みｔ３の標準値は１９．５μｍ以上でなければならないので、厚みｔ３の標準値は１９．５μｍとする。さらに、１．５μｍの製造公差を標準値よりも厚い側に確保すると、厚みｔ３の上限は２１μｍとなる。
【００７３】
さらに、裏焦点問題回避の観点から、ｔ１−（ｔ２＋ｔ３＋ｔ４）≧１でなければならない。１．５μｍの製造公差を確保すると、厚みｔ２、厚みｔ３及び厚みｔ４の上限値はそれぞれ、１３μｍ、１７μｍ及び２１μｍなので、これらの和（ｔ２＋ｔ３＋ｔ４）の上限値は、５１μｍである。従って、ｔ１−（ｔ２＋ｔ３＋ｔ４）≧１の条件は、カバー層４２の厚みｔ１の下限値が５２μｍであれば満足される。１．５μｍの製造公差を確保するためには、厚みｔ１の標準値は５３．５μｍ以上でなければならない。
【００７４】
ここで、距離ｄ４の標準値を１００μｍにすることを考慮する。距離ｄ４は、厚みｔ１〜ｔ４の総和である。厚みｔ１の標準値を５３．５μｍとしても、ここまで考えてきた厚みｔ２〜ｔ３の標準値と加えると１００μｍに達する。従って、各標準値はこれ以上厚く設定する余地がない。そのため、厚みｔ１、厚みｔ２、厚みｔ３及び厚みｔ４の標準値は、それぞれ、５３．５μｍ、１１．５μｍ、１５．５μｍ及び１９．５μｍとする。これらの厚みの標準値は、１．５μｍの製造公差を確保し、かつ、層間クロストーク問題と裏焦点問題とを回避し、かつ、距離ｄ４の標準値を１００μｍとする唯一の解であることが、このような考察からも判明した。
【００７５】
従って、厚みｔ１の標準範囲は、５２．０μｍ以上、５５．０μｍ以下であり、厚みｔ２の標準範囲は、１０．０μｍ以上、１３．０μｍ以下であり、厚みｔ３の標準範囲は、１８．０μｍ以上、２１．０μｍ以下であり、厚みｔ４の標準範囲は、１４．０μｍ以上、１７．０μｍ以下であることが望ましい。
【００７６】
換言すれば、厚みｔ１の標準値は、５３．５μｍであり、厚みｔ２の標準値は、１１．５μｍであり、厚みｔ３の標準値は、１９．５μｍであり、厚みｔ４の標準値は、１５．５μｍであり、各厚みｔ１〜ｔ４の誤差は、それぞれ±１．５μｍ以内に抑えることが望ましい。
【００７７】
本来、上記の条件（１）〜（７）から導き出された光記録媒体が満たすべき条件（以下、必須条件とする）には、複数のパラメータに関連する条件式が複数存在している。そのため、全ての条件を満たすためには、同時に勘案すべき条件が多数存在し、各層の厚みを決定することが非常に難しい。また、各層の条件が必須条件を満たす場合であっても、条件によっては、製造上の誤差が許容されず、実際の製造が非常に困難になる場合がある。
【００７８】
例えば、ある中間層の膜厚を所定の値に設定した場合に、他の中間層の膜厚条件が各条件は満たしているが、許容される誤差が非常に小さくなってしまうといった場合がある。よって、必須条件が判明したとしても、光透過層及び中間層の全てが必須条件を満たすように各層の条件を決定すること、更には、必須条件を満たす場合であっても、製造上の許容誤差が、ある層において極端に小さくならないように各層の条件を設定することは非常に難しい。
【００７９】
そこで、本実施の形態１では、上記の必須条件のみを規定するのではなく、光記録媒体の製造時に考慮すべき条件を推奨条件として規定している。
【００８０】
これにより、同時に勘案する必要があるパラメータ数を減らし、光記録媒体の製造時に各層の目標値を容易に設定することが可能になる。また、ある層だけが極端に許容誤差が小さくなるといった製造上の課題を解決することができる。さらに、各層の許容誤差を全て１．５μｍ以上にすることができるため、大量生産が可能になる。
【００８１】
なお、４つの情報記録面を有した光記録媒体４０の製造方法は、基板上に、カバー層（光透過層）４２、第１情報記録面４０ａ、第１中間層４３、第２情報記録面４０ｂ、第２中間層４４、第３情報記録面４０ｃ、第３中間層４５及び第４情報記録面４０ｄを形成する工程を有する。そして、カバー層４２の厚みｔ１及び第１乃至第３中間層４３〜４５の厚みｔ２〜ｔ４が、５２．０μｍ≦ｔ１≦５５．０μｍ、１０．０μｍ≦ｔ２≦１３．０μｍ、１８．０μｍ≦ｔ３≦２１．０μｍ、及び、１４．０μｍ≦ｔ４≦１７．０μｍ、を満たすように、第１乃至第４情報記録面４０ａ〜４０ｄ、第１乃至第３中間層４３〜４５、及びカバー層４２が形成される。
【００８２】
また、上記の製造方法によって製造された光記録媒体４０は、ｔ３−ｔ４≧１μｍ、ｔ４−ｔ２≧１μｍ、ｔ２≧１０μｍ、及び、ｔ１−（ｔ２＋ｔ３＋ｔ４）≧１μｍを満たす。また、上記の製造方法によって製造された光記録媒体４０は、６０．５μm≦ｄ２≦６９．５μｍ、７８．５μｍ≦ｄ３≦９０．５μｍ、９４．０μｍ≦ｄ４≦１０６．０μｍ、５０．５μｍ≦ｔ１≦５６．５μｍ、１０．０μｍ≦ｔ２≦１６．５μｍ、１４．５μｍ≦ｔ３≦２４．５μｍ、及び、１１．０μｍ≦ｔ４≦２０．５μｍを満たす。
【００８３】
さらに、厚みｔ１の標準値は５３．５μｍであり、厚みｔ２の標準値は１１．５μｍであり、厚みｔ３の標準値は１９．５μｍであり、厚みｔ４の標準値は１５．５μｍであり、カバー層４２の厚みｔ１及び第１乃至第３の中間層４３〜４５の厚みｔ２〜ｔ４の公差がそれぞれ１．５μｍ以下になるように、第１乃至第４情報記録面４０ａ〜４０ｄ、第１乃至第３中間層４３〜４５、及びカバー層４２を形成する。
【００８４】
（実施の形態２）
上記の実施の形態１では、４つの情報記録面を有する光記録媒体について説明したが、実施の形態２では、３つの情報記録面を有する光記録媒体について説明する。図９は、本発明の実施の形態２に係る光記録媒体の層構成を示す図である。
【００８５】
光記録媒体３０には３つの情報記録面が形成されている。図９に示すように、光記録媒体３０は、光記録媒体３０の表面３０ｚに近い側から順に、第１情報記録面３０ａ、第２情報記録面３０ｂ及び第３情報記録面３０ｃを有する。光記録媒体３０は、さらに、カバー層３２、第１中間層３３及び第２中間層３４を有している。
【００８６】
カバー層３２の厚みｔ１は、表面３０ｚから第１情報記録面３０ａまでの間の基材の厚みを表し、第１中間層３３の厚みｔ２は、第１情報記録面３０ａから第２情報記録面３０ｂまでの間の基材の厚みを表し、第２中間層３４の厚みｔ３は、第２情報記録面３０ｂから第３情報記録面３０ｃまでの間の基材の厚みを表している。
【００８７】
また、距離ｄ１（≒ｔ１）は、表面３０ｚから第１情報記録面３０ａまでの間の距離を表し、距離ｄ２（≒ｔ１＋ｔ２）は、表面３０ｚから第２情報記録面３０ｂまでの間の距離を表し、距離ｄ３（≒ｔ１＋ｔ２＋ｔ３）は、表面３０ｚから第３情報記録面３０ｃまでの間の距離を表している。
【００８８】
ここで、情報記録面が３面である場合の課題について説明する。まず、一つ目の課題として、多面反射光による干渉について図１０〜図１２を用いて説明する。図１０は、第３情報記録面３０ｃにビームを集光した場合の第３情報記録面３０ｃからの反射光を示す図であり、図１１は、第３情報記録面３０ｃにビームを集光した場合の第２情報記録面３０ｂ及び第１情報記録面３０ａからの反射光を示す図であり、図１２は、第３情報記録面３０ｃにビームを集光した場合の第１情報記録面３０ａ及び表面３０ｚからの反射光を示す図である。
【００８９】
図１０のように、情報を再生又は記録するために第３情報記録面３０ｃに集光された光束は、情報記録層（情報記録面）の半透過性により、以下の複数の光ビームに分岐される。
【００９０】
すなわち、情報を再生又は記録するために第３情報記録面３０ｄに集光する光束は、図１０のように第３情報記録面３０ｃで反射するビーム７５と、図１１のように第２情報記録面３０ｂで反射し、第１情報記録面３０ａの裏側で焦点を結んで反射し、再び第２情報記録面３０ｂで反射するビーム７６（情報記録層の裏焦点光）と、図１２のように第１情報記録面３０ａで反射し、表面３０ｚの裏側で焦点を結んで反射し、再び第１情報記録面３０ａで反射するビーム７７（表面の裏焦点光）とに分岐される。
【００９１】
例えば、第２情報記録面３０ｂと第１情報記録面３０ａとの間の距離（厚みｔ２）と、第３情報記録面３０ｃと第２情報記録面３０ｂとの間の距離（厚みｔ３）とが等しい場合、ビーム７５とビーム７６とは等しい光路長と光束径とで光検出器３２０に入射する。同様に、第１情報記録面３０ａと表面３０ｚとの間の距離（厚みｔ１）と、第３情報記録面３０ｃと第１情報記録面３０ａとの間の距離（厚みｔ２＋厚みｔ３）とが等しい場合、ビーム７５とビーム７７とはそれぞれ等しい光路長と光束径とで光検出器３２０に入射する。
【００９２】
ビーム７５に対して多面反射光であるビーム７６，７７の光量は小さいが、各ビームは、等しい光路長と等しい光束径とで光検出器３２０に入射するため、各ビームの干渉による影響は大きくなる。また、光検出器３２０での受光量は、微少な情報記録層間の厚みの変化によって大きく変動し、安定な信号を検出することが困難となる。
【００９３】
層間厚みの差が１μｍ以下になるとＦＳ信号が急激に変動するので、光記録媒体３０における層間厚みの差は、４層ディスクと同じく１μｍ以上必要である。
【００９４】
二つ目の課題として、隣接する情報記録面間の層間距離が小さすぎると、隣接する情報記録面からのクロストークの影響を受けるため、４層ディスクと同様に、層間距離は、１０μｍ以上必要となる。
【００９５】
図９を用いて、本発明の実施の形態２に係る光記録媒体３０の構成について説明する。本実施の形態２では、製造上の厚みバラツキを考慮した上で、他の情報記録層又はディスク表面からの反射光の悪影響を解決するために、以下の条件が確保できるように３層ディスク（光記録媒体３０）の構造を設定する。
【００９６】
条件（１）：カバー層３２の厚みｔ１は、従来の光ディスクのカバー層より厚くするため、５０μｍより大きくする（ｔ１＞５０μｍ）。
【００９７】
条件（２）：カバー層３２の厚みｔ１と、第１中間層３３及び第２中間層３４の厚みｔ２，ｔ３の総和（ｔ２＋ｔ３）との差は、１μｍ以上確保する。距離ｄ２の標準値は、市場のＢＤと同じ１００μｍにすることが望ましい。ｔ１＞５０μｍという条件（１）と組み合わせると、光記録媒体３０は、ｔ１−（ｔ２＋ｔ３）≧１μｍを満たすことになる。
【００９８】
条件（３）：厚みｔ１，ｔ２，ｔ３のうちの任意の２値の互いの差は、いずれも１μｍ以上である。
【００９９】
条件（４）：層間厚み（中間層の厚み）の最小値は、先に述べたように、１０μｍ以上必要である。そのため、厚みｔ２，ｔ３は、いずれも１０μｍ以上である。
【０１００】
条件（５）：情報記録面と表面３０ｚとの距離が薄い程チルトマージンが広くなる。この点、第１中間層３３の厚みｔ２は薄く、第２中間層３４の厚みｔ３は厚い方が好ましい。以上の考察から、厚みｔ２，ｔ３は、ｔ３＞ｔ２を満たす。
【０１０１】
条件（６）：表面３０ｚから、表面３０ｚから最も遠い第３情報記録面３０ｃまでの距離ｄ３は、概ね１００μｍとする。これにより、現在市販されている光ディスクの中で最も大容量であるＢＤ（Ｂｌｕ−ｒａｙ  Ｄｉｓｃ）と互換性を持たせると共に、チルトマージン等のシステムマージンも充分に確保できるという利点を得ることができる。
【０１０２】
以下、上記の条件（１）〜（６）のもとで、カバー層厚み及び中間層厚みにおける製造上許される誤差又はばらつきを最も大きくできる構造について考える。
【０１０３】
カバー層３２、第１中間層３３及び第２中間層３４の製造バラツキを一律に±ｅμｍとする。この場合、上記条件（１）〜（６）を満たす各層間厚みｔ２〜ｔ３の中心値は、上限値及び下限値を考慮して、下記の（６）及び（７）式のようになる。
【０１０４】
ｔ２＝１０＋ｅ（μｍ）・・・（６）
ｔ３＝（ｔ２＋ｅ）＋１＋ｅ＝１０＋３ｅ＋１（μｍ）・・・（７）
【０１０５】
条件（２）を満たすためには、厚みｔ１の下限値が、厚みｔ２，ｔ３の上限値の和よりも１μｍ厚くする必要があるので、下記の（８）式より、ｔ１＝２２＋７ｅとなる。
【０１０６】
ｔ１−ｅ＝（ｔ２＋ｔ３＋２ｅ）＋１（μｍ）＝（１０＋ｅ）＋（１０＋３ｅ＋１）＋２ｅ＋１＝２２＋６ｅ・・・（８）
【０１０７】
厚みｔ１〜ｔ３の和は、条件（６）から、１００μｍである。そのため、ばらつきｅは、下記の（９）式より、ｅ＝５７／１１≒５．２（μｍ）となる。
【０１０８】
ｔ１＋ｔ２＋ｔ３＝（１０＋ｅ）＋（１０＋３ｅ＋１）＋（２２＋７ｅ）＝４３＋１１ｅ＝１００（μｍ）・・・（９）
【０１０９】
また、厚みｔ１〜ｔ３の標準値は、それぞれ以下のようになる。
【０１１０】
ｔ１＝５８．３（μｍ）
ｔ２＝１５．２（μｍ）
ｔ３＝２６．５（μｍ）
【０１１１】
すでに市場において普及している２層ＢＤは、２つの情報記録層の間の中間層の厚みが２５μｍ程度であるので、３層ディスクの厚みｔ３も、２層ＢＤと同じ厚みを標準値とした方が、再生機及び記録機への対応が容易である。また、中間層の厚みの製造ばらつき、つまり公差は±３μｍもあれば、容易にディスクの製造が可能である。そこで、厚みｔ３は、２５±３μｍとする。条件（３）及び（５）を考慮した上で、層間クロストークを抑えて良好な再生信号を得るために、第１中間層３３の厚みｔ２をなるべく厚くすると、厚みｔ２は、１８±３μｍとなる。カバー層３２の厚みｔ１は、１００−（ｔ２＋ｔ３）＝５７（μｍ）となる。
【０１１２】
従って、距離ｄ１（＝ｔ１）は、５７．０（μｍ）となり、距離ｄ２（＝ｄ１＋ｔ２）は、７５．０（μｍ）となり、距離ｄ３は、１００（μｍ）となる。
【０１１３】
従って、３つの情報記録面を有した光記録媒体３０は、光記録媒体３０の表面３０ｚから、光記録媒体３０の表面３０ｚに最も近い第１情報記録面３０ａまでの距離をｄ１、光記録媒体３０の表面３０ｚから、光記録媒体３０の表面３０ｚに二番目に近い第２情報記録面３０ｂまでの距離をｄ２、光記録媒体３０の表面３０ｚから、光記録媒体３０の表面３０ｚから最も遠い第３情報記録面３０ｃまでの距離をｄ３、光記録媒体３０の表面３０ｚと第１情報記録面３０ａとの間の厚みをｔ１（＝ｄ１）、第１情報記録面３０ａと第２情報記録面３０ｂとの間の厚みをｔ２（＝ｄ２−ｄ１）、第２の情報記録面３０ｂと第３情報記録面３０ｃとの間の厚みをｔ３（＝ｄ３−ｄ２）、と定義したときに、５２．０μｍ≦ｔ１≦６２．０μｍ、１５．０μｍ≦ｔ２≦２１．０μｍ、２２．０μｍ≦ｔ３≦２８．０μｍ、６９．０μｍ≦ｄ２≦８１．０μｍ、及び、９４．０μｍ≦ｄ３≦１０６．０μｍを満たすことが望ましい。
【０１１４】
ここで、カバー層３２は第１及び第２中間層３３，３４より厚く、公差も大きくとることが望ましい。そこで、距離ｄ１（カバー層３２の厚みｔ１）の公差は、±５μｍとしている。また、距離ｄ２，ｄ３の公差は、フォーカスエラー信号の劣化度合いを考慮すると±６μｍであることが必要である。このことを考慮して距離ｄ２，ｄ３の範囲を決めた。
【０１１５】
さらに、距離ｄ２，ｄ３の公差が±５μｍであれば、記録対象又は再生対象の情報記録面へのより安定したフォーカス引き込みが可能である。
【０１１６】
なお、第１及び第２中間層３３，３４の厚みｔ２，ｔ３の公差を５μｍ迄拡大したとしても、フォーカスジャンプを安定に行うことができ、光記録媒体の製造マージンを広げることもできる。そこで、光記録媒体３０は、ｔ３−ｔ２≧１μｍ、ｔ２≧１０μｍ、ｔ１−（ｔ２＋ｔ３）≧１μｍ、５２．０μｍ≦ｔ１≦６２．０μｍ、１３．０μｍ≦ｔ２≦２３．０μｍ、２０．０μｍ≦ｔ３≦３０．０μｍ、５２．０μｍ≦ｄ１≦６２．０μｍ、６９．０μｍ≦ｄ２≦８１．０μｍ、及び、９４．０μｍ≦ｄ３≦１０６．０μｍを満たすことが望ましい。この条件の方が、光記録媒体の製造歩留まりをより大きくできるという意味では望ましい。
【０１１７】
この場合、光記録媒体３０の表面３０ｚの裏側で結像するのを防止し、かつ各情報記録面３０ａ〜３０ｃでの反射光同士の干渉を減らすことにより、サーボ信号及び再生信号の品質を向上させることができる。また、光記録媒体３０の表面３０ｚと、光記録媒体３０の表面３０ｚに最も近い第１情報記録面３０ａとの間隔を大きく設定することが可能となるので、光記録媒体３０の表面３０ｚに傷や汚れがある場合の再生信号の劣化を抑えることができる。
【０１１８】
さらに、距離ｄ２，ｄ３の公差が±５μｍであれば、表面３０ｚに最も近い第１情報記録面３０ａへのより安定したフォーカス引き込みが可能である。
【０１１９】
また、カバー層３２及び各中間層３３，３４の厚みｔ１〜ｔ３の組み合わせによって条件への適否を判断するよりも、カバー層３２及び各中間層３３，３４の厚みｔ１〜ｔ３の公差を狭い範囲に収めて製造することにより、組み合わせを考慮することなく条件に適した光ディスクを製造するほうが、製造上の目標値を簡単に設定し安く、条件設定が容易になるというメリットがある。一方、上記のように性能上問題のない範囲を明確にすることにより、目標値から多少逸脱して製造された光記録媒体であっても、良品であることが判別でき、製品歩留まりを高くすることができるので、製品コストを低く抑えることができるという効果が得られる。
【０１２０】
そこで、光記録媒体３０の製造公差は、４層の光記録媒体の製造公差の倍の±３μｍとして、厚みｔ１の標準範囲は５４以上、６０μｍ以下であり、厚みｔ２の標準範囲は１５μｍ以上、２１μｍ以下であり、厚みｔ３の標準範囲は２２μｍ以上、２８μｍ以下であるように光記録媒体３０を製造することが望ましい。
【０１２１】
厚みｔ１〜ｔ３がこのような範囲内になるように光記録媒体３０を製造すれば、必要な条件はほぼ満たされる。
【０１２２】
ただし、全ての厚みｔ１〜ｔ３が厚い場合、あるいは逆に全ての厚みｔ１〜ｔ３が薄い場合は、距離ｄ３の誤差が±９μｍ（＝±３μｍ×３）にまで拡大してしまい、距離ｄ３は９４．０μｍ≦ｄ３≦１０６．０μｍという条件を逸脱してしまう。そのため、この点を考慮すると、厚みｔ１は、５５μｍ以上、５９μｍ以下であり、厚みｔ２は、１６μｍ以上、２０μｍ以下であり、厚みｔ３は、２３μｍ以上、２７μｍ以下であることが最も望ましい。言い換えると、厚みｔ１は、５７±２μｍであり、厚みｔ２は、１８±２μｍであり、厚みｔ３は、２５±２μｍであるように光記録媒体３０を製造することが最も望ましい。
【０１２３】
なお、３つの情報記録面を有した光記録媒体３０の製造方法は、基板上に、カバー層（光透過層）３２、第１情報記録面３０ａ、第１中間層３３、第２情報記録面３０ｂ、第２中間層３４及び第３情報記録面３０ｃを形成する工程を有する。そして、カバー層３２の厚みｔ１及び第１及び第２中間層３３，３４の厚みｔ２，ｔ３が、５５．０μｍ≦ｔ１≦５９．０μｍ、１６．０μｍ≦ｔ２≦２０．０μｍ、及び、２３．０μｍ≦ｔ３≦２７．０μｍ、を満たすように、第１乃至第３情報記録面３０ａ〜３０ｃ、第１及び第２中間層３３，３４、及びカバー層３２が形成される。
【０１２４】
また、上記の製造方法によって製造された光記録媒体３０は、ｔ２−ｔ３≧１μｍ、及び、ｔ１−（ｔ２＋ｔ３）≧１μｍを満たす。また、上記の製造方法によって製造された光記録媒体３０は、５２．０μｍ≦ｔ１≦６２．０μｍ、１３．０μｍ≦ｔ２≦２３．０μｍ、及び、２０．０μｍ≦ｔ３≦３０．０μｍ、６９．０μｍ≦ｄ２≦８１．０μｍ、９４．０μｍ≦ｄ３≦１０６．０μｍ、を満たす。
【０１２５】
さらに、厚みｔ１の標準値は５７．０μｍであり、厚みｔ２の標準値は１８．０μｍであり、厚みｔ３の標準値は２５．０μｍであり、カバー層３２の厚みｔ１及び第１及び第２中間層３３，３４の厚みｔ２，ｔ３の公差がそれぞれ２．０μｍ以下になるように、第１乃至第３情報記録面３０ａ〜３０ｃ、第１及び第２中間層３３，３４、及びカバー層３２が形成される。
【０１２６】
（実施の形態３）
実施の形態３では、３つの情報記録面を有する光記録媒体の別の実施の形態について説明する。フォーカスジャンプを安定に行うことのできる範囲内の中間層の厚みを全て許容することを優先し、厚みｔ２が薄くなることを許容すれば、光記録媒体をより簡単に、より安価に製造することができる。実施の形態２の考察により、厚みｔ３の標準値を２５μｍとし、厚みｔ３の公差を±５μｍとすることによって、厚みｔ３は、２０μｍ以上、３０μｍ以下とすることができる。
【０１２７】
また、厚みｔ２の上限は、厚みｔ３の最小厚みより１μｍ以上薄くすることにより、１９μｍとすることができる。厚みｔ２は、厚みｔ３より薄いので、厚み公差も薄くできる。従って、厚みｔ２の公差を±４μｍとすることにより、厚みｔ２は、１１μｍ以上、１９μｍ以下とする。厚みｔ２の標準値は、厚みｔ２の許容範囲の中間値の１５μｍとすればよい。
【０１２８】
厚みｔ１の標準値は、ｔ１＝１００μｍ−ｔ２−ｔ３から、６０μｍとなる。厚みｔ１の公差を±５μｍとすることにより、厚みｔ１は、５５μｍ以上、６５μｍ以下とする。
【０１２９】
上記の各中間層の設定条件から、３つの情報記録面を有した光記録媒体３０は、光記録媒体３０の表面３０ｚから、光記録媒体３０の表面３０ｚに最も近い第１の情報記録面３０ａまでの距離をｄ１、光記録媒体３０の表面３０ｚから、光記録媒体３０の表面３０ｚに二番目に近い第２の情報記録面３０ｂまでの距離をｄ２、光記録媒体３０の表面３０ｚから、光記録媒体３０の表面３０ｚから最も遠い第３の情報記録面３０ｃまでの距離をｄ３、光記録媒体３０の表面３０ｚと第１の情報記録面３０ａとの間の厚みをｔ１（＝ｄ１）、第１の情報記録面３０ａと第２の情報記録面３０ｂとの間の厚みをｔ２（＝ｄ２−ｄ１）、第２の情報記録面３０ｂと第３の情報記録面３０ｃとの間の厚みをｔ３（＝ｄ３−ｄ２）と定義したときに、５５．０μｍ≦ｔ１≦６５．０μｍ、１１．０μｍ≦ｔ２≦１９．０μｍ、２０．０μｍ≦ｔ３≦３０．０μｍ、６９．０μｍ≦ｄ２≦８１．０μｍ、及び、９４．０μｍ≦ｄ３≦１０６．０μｍを満たすことが望ましい。
【０１３０】
さらに、フォーカス引き込み時の球面収差の設定の容易さを考えると、距離ｄ２，ｄ３の公差が±５μｍであれば、表面３０ｚに最も近い第１情報記録面３０ａへのより安定したフォーカス引き込みが可能である。そのため、距離ｄ２は、７０．０μｍ以上、８０．０μｍ以下であり、かつ、距離ｄ３は、９５．０μｍ以上、１０５．０μｍ以下であることが望ましい。
【０１３１】
以上、これらの組み合わせで製造された４つ又は３つの情報記録面を有する光記録媒体により、本来読み出すべき特定の情報記録層の信号面からの反射光に対する影響を抑えることができるため、安定したサーボ信号及び再生信号が得られる大容量光記録媒体を提供することができる。
【０１３２】
なお、上述した具体的実施形態には以下の構成を有する発明が主に含まれている。
【０１３３】
本発明の一局面に係る光記録媒体は、４つの情報記録面を有した光記録媒体であって、前記光記録媒体の表面と、前記光記録媒体の表面に最も近い第１の情報記録面との間の厚みをｔ１、前記第１の情報記録面と、前記光記録媒体の表面に二番目に近い第２の情報記録面との間の厚みをｔ２、前記第２の情報記録面と、前記光記録媒体の表面に三番目に近い第３の情報記録面との間の厚みをｔ３、及び、前記第３の情報記録面と、前記光記録媒体の表面から最も遠い第４の情報記録面との間の厚みをｔ４、と定義したときに、ｔ３−ｔ４≧１μｍ、ｔ４−ｔ２≧１μｍ、ｔ２≧１０μｍ、及び、ｔ１−（ｔ２＋ｔ３＋ｔ４）≧１μｍ、を満たす。
【０１３４】
この構成によれば、４つの情報記録面を有した光記録媒体は、ｔ３−ｔ４≧１μｍ、ｔ４−ｔ２≧１μｍ、ｔ２≧１０μｍ、及び、ｔ１−（ｔ２＋ｔ３＋ｔ４）≧１μｍ、を満たすので、光記録媒体の表面の裏側で結像するのを防止し、かつ各情報記録面での反射光同士の干渉を減らすことにより、サーボ信号及び再生信号の品質を向上させることができる。また、光記録媒体の表面と、光記録媒体の表面に最も近い情報記録面との間隔を大きく設定することが可能となるので、光記録媒体の表面に傷や汚れがある場合の再生信号の劣化を抑えることができる。
【０１３５】
また、上記の光記録媒体において、前記光記録媒体の表面から前記第１の情報記録面までの距離をｄ１、前記光記録媒体の表面から前記第２の情報記録面までの距離をｄ２、前記光記録媒体の表面から前記第３の情報記録面までの距離をｄ３、前記光記録媒体の表面から前記第４の情報記録面までの距離をｄ４、及び、前記距離ｄ１，ｄ２，ｄ３，ｄ４の公差をそれぞれＥ１，Ｅ２，Ｅ３，Ｅ４と定義したときに、５３．５μｍ−Ｅ１≦ｄ１≦５３．５μｍ＋Ｅ１、６５．０μｍ−Ｅ２≦ｄ２≦６５．０μｍ＋Ｅ２、８４．５μｍ−Ｅ３≦ｄ３≦８４．５μｍ＋Ｅ３、及び、１００．０μｍ−Ｅ４≦ｄ４≦１００．０μｍ＋Ｅ４、を満たし、前記公差Ｅ１，Ｅ２，Ｅ３，Ｅ４は、それぞれ６μｍ以下であることが好ましい。
【０１３６】
この構成によれば、光記録媒体は、５３．５μｍ−Ｅ１≦ｄ１≦５３．５μｍ＋Ｅ１、６５．０μｍ−Ｅ２≦ｄ２≦６５．０μｍ＋Ｅ２、８４．５μｍ−Ｅ３≦ｄ３≦８４．５μｍ＋Ｅ３、及び、１００．０μｍ−Ｅ４≦ｄ４≦１００．０μｍ＋Ｅ４、を満たし、公差Ｅ１，Ｅ２，Ｅ３，Ｅ４は、それぞれ６μｍ以下である。
【０１３７】
したがって、公差Ｅ１，Ｅ２，Ｅ３，Ｅ４を、それぞれ６μｍ以下とすることにより、フォーカスエラー信号の劣化を抑制することができ、安定してフォーカス制御を行うことができる。
【０１３８】
また、上記の光記録媒体において、前記公差Ｅ１は３μｍであることが好ましい。公差Ｅ１は、厚みｔ１の誤差だけで決まり、他の中間層の厚みの影響を受けない。そのため、公差Ｅ１を３μｍとすることにより、光記録媒体の表面に最も近い第１の情報記録面へフォーカス引き込みをより安定して行うことができる。
【０１３９】
また、上記の光記録媒体において、前記公差Ｅ２は４．５μｍであることが好ましい。この構成によれば、公差Ｅ２を４．５μｍとすることにより、光記録媒体の表面に二番目に近い第２の情報記録面へのフォーカス引き込みをさらに安定して行うことができる。
【０１４０】
また、上記の光記録媒体において、前記厚みｔ３は、２５．５μｍ以下であることが好ましい。
【０１４１】
第２情報記録面から第３情報記録面へのフォーカスジャンプ時には、あらかじめジャンプ先の第３情報記録面に球面収差量を合わせておかなければ、フォーカスエラー信号の振幅及び感度が劣化して、安定にフォーカス制御を再開できない。そのため、厚みｔ３の公差は６μｍに抑えることが望ましく、厚みｔ３を２５．５μｍ以下とすることにより、フォーカスエラー信号の劣化を抑制することができ、安定してフォーカス制御を行うことができる。
【０１４２】
また、上記の光記録媒体において、前記厚みｔ３は、２４．５μｍ以下であることが好ましい。この構成によれば、厚みｔ３を２４．５μｍ以下とすることにより、フォーカスジャンプをより安定して行うことができる。
【０１４３】
また、上記の光記録媒体において、前記厚みｔ２は、１０．０μｍ以上、１６．５μｍ以下であり、前記厚みｔ３は、１４．５μｍ以上、２４．５μｍ以下であり、前記厚みｔ４は、１１．０μｍ以上、２０．５μｍ以下であることが好ましい。
【０１４４】
この構成によれば、各厚みｔ２，ｔ３，ｔ４の公差を５μｍに抑える、すなわち、厚みｔ２を、１０．０μｍ以上、１６．５μｍ以下とし、厚みｔ３を、１４．５μｍ以上、２４．５μｍ以下とし、厚みｔ４を、１１．０μｍ以上、２０．５μｍ以下とすることにより、フォーカスジャンプをより安定して行うことができる。
【０１４５】
また、上記の光記録媒体において、前記距離ｄ１は、５０μｍより大きいことが好ましい。この構成によれば、距離ｄ１を５０μｍより大きくすることにより、光記録媒体の表面から、光記録媒体の表面に最も近い情報記録面までの厚みを、従来の光記録媒体のカバー層の厚みよりも厚くすることができる。
【０１４６】
本発明の他の局面に係る光記録媒体の製造方法は、４つの情報記録面を有した光記録媒体の製造方法であって、基板上に、光透過層、第１の情報記録面、第１の中間層、第２の情報記録面、第２の中間層、第３の情報記録面、第３の中間層及び第４の情報記録面を形成する工程を有し、前記光透過層の厚みをｔ１、前記第１の中間層の厚みをｔ２、前記第２の中間層の厚みをｔ３、前記第３の中間層の厚みをｔ４、と定義したときに、前記光透過層の厚み及び前記第１乃至第３の中間層の厚みが、５２．０μｍ≦ｔ１≦５５．０μｍ、１０．０μｍ≦ｔ２≦１３．０μｍ、１８．０μｍ≦ｔ３≦２１．０μｍ、及び、１４．０μｍ≦ｔ４≦１７．０μｍ、を満たすように前記第１乃至第４の情報記録面、前記第１乃至第３の中間層、及び前記光透過層を形成する。
【０１４７】
この構成によれば、基板上に、光透過層、第１の情報記録面、第１の中間層、第２の情報記録面、第２の中間層、第３の情報記録面、第３の中間層及び第４の情報記録面が形成される。そして、光透過層の厚み及び第１乃至第３の中間層の厚みが、５２．０μｍ≦ｔ１≦５５．０μｍ、１０．０μｍ≦ｔ２≦１３．０μｍ、１８．０μｍ≦ｔ３≦２１．０μｍ、及び、１４．０μｍ≦ｔ４≦１７．０μｍ、を満たすように第１乃至第４の情報記録面、第１乃至第３の中間層、及び光透過層が形成される。
【０１４８】
この場合、光記録媒体の表面の裏側で結像するのを防止し、かつ各情報記録面での反射光同士の干渉を減らし、かつ光記録媒体の表面と、光記録媒体の表面に最も近い情報記録面との間隔を大きく設定することができる。
【０１４９】
また、上記の光記録媒体の製造方法において、前記光記録媒体の表面から前記第２の情報記録面までの距離をｄ２、前記光記録媒体の表面から前記第３の情報記録面までの距離をｄ３、前記光記録媒体の表面から前記第４の情報記録面までの距離をｄ４、と定義したときに、製造された光記録媒体は、ｔ３−ｔ４≧１μｍ、ｔ４−ｔ２≧１μｍ、ｔ２≧１０μｍ、及び、ｔ１−（ｔ２＋ｔ３＋ｔ４）≧１μｍを満たすことが好ましい。
【０１５０】
この構成によれば、ｔ３−ｔ４≧１μｍ、ｔ４−ｔ２≧１μｍ、ｔ２≧１０μｍ、及び、ｔ１−（ｔ２＋ｔ３＋ｔ４）≧１μｍを満たすように光記録媒体が製造されるので、光記録媒体の表面の裏側で結像するのを防止し、かつ各情報記録面での反射光同士の干渉を減らすことにより、サーボ信号及び再生信号の品質を向上させることができる。また、光記録媒体の表面と、光記録媒体の表面に最も近い情報記録面との間隔を大きく設定することが可能となるので、光記録媒体の表面に傷や汚れがある場合の再生信号の劣化を抑えることができる。
【０１５１】
また、上記の光記録媒体の製造方法において、製造された光記録媒体は、６０．５μm≦ｄ２≦６９．５μｍ、７８．５μｍ≦ｄ３≦９０．５μｍ、９４．０μｍ≦ｄ４≦１０６．０μｍ、５０．５μｍ≦ｔ１≦５６．５μｍ、１０．０μｍ≦ｔ２≦１６．５μｍ、１４．５μｍ≦ｔ３≦２４．５μｍ、及び、１１．０μｍ≦ｔ４≦２０．５μｍを満たすことが好ましい。
【０１５２】
この構成によれば、６０．５μm≦ｄ２≦６９．５μｍ、７８．５μｍ≦ｄ３≦９０．５μｍ、９４．０μｍ≦ｄ４≦１０６．０μｍ、５０．５μｍ≦ｔ１≦５６．５μｍ、１０．０μｍ≦ｔ２≦１６．５μｍ、１４．５μｍ≦ｔ３≦２４．５μｍ、及び、１１．０μｍ≦ｔ４≦２０．５μｍを満たすように光記録媒体が製造されるので、厚みｔ２，ｔ３，ｔ４の公差を５μｍに抑えることにより、フォーカスジャンプをより安定して行うことができる。
【０１５３】
また、上記の光記録媒体の製造方法において、前記厚みｔ１の標準値は５３．５μｍであり、前記厚みｔ２の標準値は１１．５μｍであり、前記厚みｔ３の標準値は１９．５μｍであり、前記厚みｔ４の標準値は１５．５μｍであり、前記光透過層の厚み及び前記第１乃至第３の中間層の厚みの公差がそれぞれ１．５μｍ以下になるように、前記第１乃至第４の情報記録面、前記第１乃至第３の中間層、及び前記光透過層を形成することが好ましい。
【０１５４】
この構成によれば、厚みｔ１の標準値は５３．５μｍであり、厚みｔ２の標準値は１１．５μｍであり、厚みｔ３の標準値は１９．５μｍであり、厚みｔ４の標準値は１５．５μｍであり、光透過層の厚み及び第１乃至第３の中間層の厚みの公差がそれぞれ１．５μｍ以下になるように、第１乃至第４の情報記録面、第１乃至第３の中間層、及び光透過層が形成される。
【０１５５】
この場合、光記録媒体の表面の裏側で結像するのを防止し、かつ各情報記録面での反射光同士の干渉を減らすことにより、サーボ信号及び再生信号の品質を向上させることができる。また、光記録媒体の表面と、光記録媒体の表面に最も近い情報記録面との間隔を大きく設定することが可能となるので、光記録媒体の表面に傷や汚れがある場合の再生信号の劣化を抑えることができる。
【０１５６】
本発明の他の局面に係る光記録媒体は、３つの情報記録面を有した光記録媒体であって、前記光記録媒体の表面と、前記光記録媒体の表面に最も近い第１の情報記録面との間の厚みをｔ１、前記第１の情報記録面と、前記光記録媒体の表面に二番目に近い第２の情報記録面との間の厚みをｔ２、及び、前記第２の情報記録面と、前記光記録媒体の表面から最も遠い第３の情報記録面との間の厚みをｔ３、と定義したときに、ｔ３−ｔ２≧１μｍ、ｔ２≧１０μｍ、及び、ｔ１−（ｔ２＋ｔ３）≧１μｍを満たす。
【０１５７】
この構成によれば、３つの情報記録面を有した光記録媒体は、ｔ３−ｔ２≧１μｍ、ｔ２≧１０μｍ、及び、ｔ１−（ｔ２＋ｔ３）≧１μｍを満たすので、光記録媒体の表面の裏側で結像するのを防止し、かつ各情報記録面での反射光同士の干渉を減らすことにより、サーボ信号及び再生信号の品質を向上させることができる。また、光記録媒体の表面と、光記録媒体の表面に最も近い情報記録面との間隔を大きく設定することが可能となるので、光記録媒体の表面に傷や汚れがある場合の再生信号の劣化を抑えることができる。
【０１５８】
また、上記の光記録媒体において、前記光記録媒体の表面から前記第２の情報記録面までの距離をｄ２、及び、前記光記録媒体の表面から前記第３の情報記録面までの距離をｄ３、と定義したときに、５２．０μｍ≦ｔ１≦６２．０μｍ、１３．０μｍ≦ｔ２≦２３．０μｍ、２０．０μｍ≦ｔ３≦３０．０μｍ、６９．０μｍ≦ｄ２≦８１．０μｍ、及び、９４．０μｍ≦ｄ３≦１０６．０μｍ、を満たすことが好ましい。
【０１５９】
この構成によれば、光記録媒体は、５２．０μｍ≦ｔ１≦６２．０μｍ、１３．０μｍ≦ｔ２≦２３．０μｍ、２０．０μｍ≦ｔ３≦３０．０μｍ、６９．０μｍ≦ｄ２≦８１．０μｍ、及び、９４．０μｍ≦ｄ３≦１０６．０μｍ、を満たすので、厚みｔ２，ｔ３の公差を５μｍに抑えることにより、フォーカスジャンプをより安定して行うことができる。
【０１６０】
本発明の他の局面に係る光記録媒体の製造方法は、３つの情報記録面を有した光記録媒体の製造方法であって、基板上に、光透過層、第１の情報記録面、第１の中間層、第２の情報記録面、第２の中間層及び第３の情報記録面を形成する工程を有し、前記光透過層の厚みをｔ１、前記第１の中間層の厚みをｔ２、前記第２の中間層の厚みをｔ３、と定義したときに、前記光透過層の厚み及び前記第１及び第２の中間層の厚みが、５５．０μｍ≦ｔ１≦５９．０μｍ、１６．０μｍ≦ｔ２≦２０．０μｍ、及び、２３．０μｍ≦ｔ３≦２７．０μｍ、を満たすように前記第１乃至第３の情報記録面、前記第１及び第２の中間層、及び前記光透過層を形成する。
【０１６１】
この構成によれば、基板上に、光透過層、第１の情報記録面、第１の中間層、第２の情報記録面、第２の中間層及び第３の情報記録面が形成される。そして、光透過層の厚み及び第１及び第２の中間層の厚みが、５５．０μｍ≦ｔ１≦５９．０μｍ、１６．０μｍ≦ｔ２≦２０．０μｍ、及び、２３．０μｍ≦ｔ３≦２７．０μｍ、を満たすように第１乃至第３の情報記録面、第１及び第２の中間層、及び光透過層が形成される。
【０１６２】
この場合、光記録媒体の表面の裏側で結像するのを防止し、かつ各情報記録面での反射光同士の干渉を減らすことにより、サーボ信号及び再生信号の品質を向上させることができる。また、光記録媒体の表面と、光記録媒体の表面に最も近い情報記録面との間隔を大きく設定することが可能となるので、光記録媒体の表面に傷や汚れがある場合の再生信号の劣化を抑えることができる。
【０１６３】
また、上記の光記録媒体において、製造された光記録媒体は、ｔ２−ｔ３≧１μｍ、及び、ｔ１−（ｔ２＋ｔ３）≧１μｍを満たすことが好ましい。
【０１６４】
この構成によれば、ｔ２−ｔ３≧１μｍ、及び、ｔ１−（ｔ２＋ｔ３）≧１μｍを満たすように光記録媒体が製造されるので、光記録媒体の表面の裏側で結像するのを防止し、かつ各情報記録面での反射光同士の干渉を減らし、かつ光記録媒体の表面と、光記録媒体の表面に最も近い情報記録面との間隔を大きく設定することができる。
【０１６５】
また、上記の光記録媒体において、前記光記録媒体の表面から前記第２の情報記録面までの距離をｄ２、前記光記録媒体の表面から前記第３の情報記録面までの距離をｄ３、と定義したときに、製造された光記録媒体は、５２．０μｍ≦ｔ１≦６２．０μｍ、１３．０μｍ≦ｔ２≦２３．５μｍ、及び、２０．０μｍ≦ｔ３≦３０．０μｍ、６９．０μｍ≦ｄ２≦８１．０μｍ、９４．０μｍ≦ｄ３≦１０６．０μｍ、を満たすことが好ましい。
【０１６６】
この構成によれば、５２．０μｍ≦ｔ１≦６２．０μｍ、１３．０μｍ≦ｔ２≦２３．０μｍ、及び、２０．０μｍ≦ｔ３≦３０．０μｍ、６９．０μｍ≦ｄ２≦８１．０μｍ、９４．０μｍ≦ｄ３≦１０６．０μｍ、を満たすように光記録媒体が製造されるので、厚みｔ２，ｔ３の公差を５μｍに抑えることにより、フォーカスジャンプをより安定して行うことができる。
【０１６７】
また、上記の光記録媒体において、前記厚みｔ１の標準値は５７．０μｍであり、前記厚みｔ２の標準値は１８．０μｍであり、前記厚みｔ３の標準値は２５．０μｍであり、前記光透過層の厚み及び前記第１及び第２の中間層の厚みの公差がそれぞれ２．０μｍ以下になるように、前記第１乃至第３の情報記録面、前記第１及び第２の中間層、及び前記光透過層を形成することが好ましい。
【０１６８】
この構成によれば、厚みｔ１の標準値は５７．０μｍであり、厚みｔ２の標準値は１８．０μｍであり、厚みｔ３の標準値は２５．０μｍであり、光透過層の厚み及び第１及び第２の中間層の厚みの公差がそれぞれ２．０μｍ以下になるように、第１乃至第３の情報記録面、第１及び第２の中間層、及び光透過層が形成される。
【０１６９】
この場合、光記録媒体の表面の裏側で結像するのを防止し、かつ各情報記録面での反射光同士の干渉を減らすことにより、サーボ信号及び再生信号の品質を向上させることができる。また、光記録媒体の表面と、光記録媒体の表面に最も近い情報記録面との間隔を大きく設定することが可能となるので、光記録媒体の表面に傷や汚れがある場合の再生信号の劣化を抑えることができる。
【０１７０】
なお、発明を実施するための形態の項においてなされた具体的な実施態様又は実施例は、あくまでも、本発明の技術内容を明らかにするものであって、そのような具体例にのみ限定して狭義に解釈されるべきものではなく、本発明の精神と特許請求事項との範囲内で、種々変更して実施することができるものである。
【産業上の利用可能性】
【０１７１】
本発明に係る光記録媒体及び光記録媒体の製造方法は、任意の情報記録面への情報の記録又は再生時に他の情報記録面からの反射光の影響を最小限に抑えることにより、サーボ信号及び再生信号への影響を低減することができる。これにより、品質の良い再生信号が得られる、既存ディスクとの互換性を確保しやすい大容量の光記録媒体が提供できる。
【図１】
0005411153.tif 000002
【図２】
0005411153.tif 000003
【図３】
0005411153.tif 000004
【図４】
0005411153.tif 000005
【図５】
0005411153.tif 000006
【図６】
0005411153.tif 000007
【図７】
0005411153.tif 000008
【図８】
0005411153.tif 000009
【図９】
0005411153.tif 000010
【図１０】
0005411153.tif 000011
【図１１】
0005411153.tif 000012
【図１２】
0005411153.tif 000013
【図１３】
0005411153.tif 000014